(57)【要約】    【課題】      従来のように不特定の時間にわたってクーポンを集め続ける必要がなく、一度受け取ったら次回の購入から直ちに割引を受け、複数回の使用が可能であって、長く使用してもらえて顧客の固定客化を可能とする効率的なクーポン発行装置、クーポンの使用方法およびそのクーポンを提供すること。    【解決手段】  従来のように加算型のクーポンとせずに、あらかじめ所定以上の金額を貯めた高額クーポン１３から所定割引金が減算されるような減算型クーポンとすることに着目したもので、当該クーポンは、これを所定金額より高額の金額をあらかじめ貯めることができる高額クーポン１３とするとともに、この高額クーポン１３の貯めてある金額から所定の割引を行った金額を減算可能とするこことを特徴とする。【選択図】        図１
2007065895.tif 000002
【特許請求の範囲】
【請求項１】
商品の販売にともなってその価格から所定の割引を行うクーポンを顧客に供給するためのクーポン発行装置であって、
当該クーポンは、これを所定金額より高額の金額をあらかじめ貯めることができる高額クーポンとするとともに、
この高額クーポンの前記貯めてある金額から所定の割引を行った金額を減算可能とすることを特徴とするクーポン発行装置。
【請求項２】
商品の販売にともなってその価格から所定の割引を行うクーポンを顧客に供給するためのクーポン発行装置であって、
当該クーポンを所定金額より高額の金額をあらかじめ貯めることができる高額クーポンとして発行するカードプリンターを有し、
このカードプリンターは、この高額クーポンの前記貯めてある金額から所定の割引を行った金額を減算可能とすることを特徴とするクーポン発行装置。
【請求項３】
前記高額クーポンは、前記あらかじめ貯める所定の金額を更新可能とすることを特徴とする請求項１あるいは２記載のクーポン発行装置。
【請求項４】
前記高額クーポンにおいて前記あらかじめ貯める所定の金額は、これを１万円から３万円程度とすることを特徴とする請求項１あるいは２記載のクーポン発行装置。
【請求項５】
商品の販売にともなってその価格から所定の割引を行うクーポンを顧客に供給するためのクーポンの使用方法であって、
当該クーポンは、これを所定金額より高額の金額をあらかじめ貯めることができる高額クーポンとするとともに、
前記商品が販売されるたびに、この高額クーポンの前記貯めてある金額から所定の割引を行った金額を減算することを特徴とするクーポンの使用方法。
【請求項６】
商品の販売にともなってその価格から所定の割引を行うクーポンであって、
当該クーポンは、これを所定金額より高額の金額をあらかじめ貯めることができる高額クーポンとするとともに、
この高額クーポンの前記あらかじめ貯めてある金額から所定の割引を行った金額を減算可能とすることを特徴とするクーポン。
【発明の詳細な説明】
【技術分野】
【０００１】
本発明はクーポン発行装置、クーポンの使用方法およびそのクーポンにかかるもので、とくに商品やサービス（以下、単に「商品」と言う）の販売にともなって支払われる金額から割引を行うクーポンに関するクーポン発行装置、クーポンの使用方法およびそのクーポンに関するものである。
【背景技術】
【０００２】
従来から販売促進手段の一形態として、商品の販売にともなってその価格から所定の割合ないし割引金額で割引を行うクーポンを顧客に供給ないし提供することが行われている。
しかしながら、従来のクーポンは、紙製のものが多く、何回も使用することができるものではなく、顧客が一回プレミアムを受け取ったり、クーポンを利用したら、クーポンとしての機能は終了して顧客とのつながりは終了し、せっかくの顧客が固定客にはなり難いという問題がある。
たとえば、購入金額の一定割合をクーポンとして発行する方式では、このクーポンの該当金額を使い切れば、クーポンとしては無効となり、固定客化が困難であるという問題がある。
【０００３】
さらに、クーポンの種類ないし使用形態としても、たとえば、クーポンを何枚か集めたら所定の割引を行うというものが多く、顧客としては、所定の枚数ないし金額に達するまで（所定金額まで加算してその金額に達するまで）クーポンを貯めておく必要があり、いつまでかかるかわからない時間をかけざるを得ず面倒であるため、途中で貯めることを止める、あるいは忘れる、紛失するなどして、クーポン本来の目的を達成することが困難であるという問題がある。
【０００４】
【特許文献１】特開２００２−３０４５７３号公報
【発明の開示】
【発明が解決しようとする課題】
【０００５】
本発明は以上のような諸問題にかんがみなされたもので、一度利用いただいた顧客の固定客化を可能とするクーポン発行装置、クーポンの使用方法およびそのクーポンを提供することを課題とする。
【０００６】
また本発明は、不特定の時間にわたってクーポンを集め続ける必要がないクーポン発行装置、クーポンの使用方法およびそのクーポンを提供することを課題とする。
【０００７】
また本発明は、一度受け取ったら次回の購入から直ちに割引を受けることが可能であるようなクーポン発行装置、クーポンの使用方法およびそのクーポンを提供することを課題とする。
【０００８】
また本発明は、一度発行したクーポンについて複数回の使用が可能な効率的なクーポン発行装置、クーポンの使用方法およびそのクーポンを提供することを課題とする。
【０００９】
また本発明は、一度提供したら長く使用してもらえるようなクーポン発行装置、クーポンの使用方法およびそのクーポンを提供することを課題とする。
【課題を解決するための手段】
【００１０】
すなわち本発明は、従来のように加算型のクーポンとせずに、あらかじめ所定以上の金額を貯めた高額クーポンを一律に（すなわち、購入金額の多寡にかかわらず）提供し、この高額クーポンから所定割引金が減算されるような減算型クーポンとすることに着目したもので、第一の発明は、商品の販売にともなってその価格から所定の割引を行うクーポンを顧客に供給するためのクーポン発行装置であって、当該クーポンは、これを所定金額より高額の金額をあらかじめ貯めることができる高額クーポンとするとともに、この高額クーポンの上記貯めてある金額から所定の割引を行った金額を減算可能とすることを特徴とするクーポン発行装置である。
【００１１】
第二の発明は、商品の販売にともなってその価格から所定の割引を行うクーポンを顧客に供給するためのクーポン発行装置であって、当該クーポンを所定金額より高額の金額をあらかじめ貯めることができる高額クーポンとして発行するカードプリンターを有し、このカードプリンターは、この高額クーポンの上記貯めてある金額から所定の割引を行った金額を減算可能とすることを特徴とするクーポン発行装置である。
【００１２】
第三の発明は、商品の販売にともなってその価格から所定の割引を行うクーポンを顧客に供給するためのクーポンの使用方法であって、当該クーポンは、これを所定金額より高額の金額をあらかじめ貯めることができる高額クーポンとするとともに、上記商品が販売されるたびに、この高額クーポンの上記貯めてある金額から所定の割引を行った金額を減算することを特徴とするクーポンの使用方法である。
【００１３】
第四の発明は、商品の販売にともなってその価格から所定の割引を行うクーポンであって、当該クーポンは、これを所定金額より高額の金額をあらかじめ貯めることができる高額クーポンとするとともに、この高額クーポンの上記あらかじめ貯めてある金額から所定の割引を行った金額を減算可能とすることを特徴とするクーポンである。
【００１４】
上記高額クーポンは、上記あらかじめ貯める所定の金額を更新可能とすることができる。
【００１５】
上記高額クーポンにおいて上記あらかじめ貯める所定の金額は、これを１万円から３万円程度とすることができる。
【００１６】
上記高額クーポンからの割引金額ないし割引率は、一般的に行われているように、これを比較的小額とすることにより、たとえば商品価格の数％とすることにより、長期にわたる使用を保証し、一度利用いただいた顧客の固定客化を推進することができる。
【００１７】
上記クーポンとしては、磁気カード、ＩＣカードあるいはロイコカードなどのカード構成、その他任意の構成のものを採用可能である。
【発明の効果】
【００１８】
本発明によるクーポン発行装置、クーポンの使用方法およびそのクーポンにおいては、クーポンを所定金額より高額の金額をあらかじめ貯めることができる高額クーポンとするとともに、商品が販売されるたびに、この高額クーポンの貯めてある金額から所定の割引を行った金額を減算するようにしたので、このクーポンを受け取った顧客は、たとえば小売り店などでは１万円ないし３万円の割引を長期にわたって保証され、クーポン自体を大事に扱うことになるので、複数回の使用が可能で固定客化につながるとともに、顧客自身も従来のようにクーポンを集め続けるという面倒さから解放される。
また、当該高額クーポンはその金額を更新可能とすることができ、クーポンを一度提供した顧客には、別のクーポンを新たに提供する必要がなくなり、ランニングコストの低減および資源保護にも寄与することができるとともに、クーポン発行および維持のための予算ないし予想も立てやすいという利点がある。
【００１９】
とくに第一の発明によれば、高額クーポンの貯めてある金額から所定の割引を行った金額を減算可能としているので、顧客は従来とは逆に割引サービスの保証を確実に受けることができる。
【００２０】
とくに第二の発明によれば、高額クーポンを発行するとともに所定の減算割引を行うカードプリンターを設けたので、簡単な構成でクーポンの機能を高めることができる。
【００２１】
とくに第三の発明によれば、商品が販売されるたびに、高額クーポンの貯めてある金額から所定の割引を行った金額を減算するので、当該クーポンを利用する限り所定割合で割引サービスを提供することができ、固定客化を推進することができる。
【００２２】
とくに第四の発明によれば、当該クーポンは、これを所定金額より高額の金額をあらかじめ貯めることができる高額クーポンとしているので、従来のようなクーポンとは異なり、この高額クーポンを受け取った顧客に大事に利用してもらうことができる。
【発明を実施するための最良の形態】
【００２３】
本発明は、高額かつ減算型のクーポンを発行するようにしたので、効率的かつ有効に、また無駄なく使用することが可能で、固定客化に寄与するクーポン発行装置、クーポンの使用方法およびそのクーポンを実現した。
【実施例】
【００２４】
つぎに本発明の実施例によるクーポン発行装置、クーポンの使用方法およびそのクーポンを図１ないし図３にもとづき説明する。
図１は、クーポン発行装置１の全体概略説明図であって、クーポン発行装置１は、たとえば、クーポン発行および読取り用のカードプリンターとしてこれを構成してあるもので、プリンター本体２と、バーコードリーダー３と、を有する。
【００２５】
プリンター本体２は、テンキー部４と、ディスプレイ部５と、プリンター部６と、制御部７と、クーポン発行読取り口８と、を有する。
たとえば、商品の販売所などにおいて回収されたチラシ９に貼り付けられたバーコードラベル１０のバーコード１１をバーコードリーダー３が読み取り、どのチラシ９が回収されたかのデータを収集する。
すなわち、その制御部７において、この収集した識別情報にもとづき、潜在顧客に関する顧客情報を任意の形態でデータベース化する。必要であれば、このデータベース化した顧客情報にもとづき、付属の印刷機構（図示せず）を用いて所定の統計帳票１２を印刷可能とする。
【００２６】
さらに、そのプリンター部６において、ディスプレイ部５を見ながらテンキー部４を操作して、販売促進のための高額クーポン１３（クーポン）を印字するとともに電子データを書き込み、クーポン発行読取り口８から発行する。なお、プリンター本体２は、複数枚の高額クーポン１３の保持部を内部に備えていてもよく、あるいは一枚一枚空のクーポンをクーポン発行読取り口８に挿入して上述の印字および電子データの書込みを行うこともできる。
プリンター本体２における、上記データベース化および統計帳票１２や高額クーポン１３の発行のための制御部７ないしプログラムさらにはプリンター部６は、任意のものを採用可能である。
また、上記チラシ９、バーコードラベル１０およびバーコード１１などは高額クーポン１３の発行のタイミングを示すための一例であって、これらを用いずに、単純に商品の販売時点でプリンター本体２を操作して高額クーポン１３を発行することができる。
【００２７】
図２は、高額クーポン１３の表面側の説明図、図３は、高額クーポン１３の裏面側の説明図である。
高額クーポン１３は、磁気カード、ＩＣカード、ロイコカード、その他任意のタイプのカードであって、プリンター本体２により表面に必要な印字が可能であるとともに、その制御部７により必要なデータを保存および更新可能な構成とする。なお、ロイコカードとは、ロイコ色素を用いた感熱カードであって、リライト可能な感熱色素（ロイコ色素）が表面に形成されたものである。
【００２８】
高額クーポン１３の表面側には、クーポンの識別番号（ＩＤ番号）１４、発行日１５、発行店舗番号１６、およびクーポンによる所定金額以上の金額、たとえば小売り店などでは１万円ないし３万円などの貯蓄金額１７を印字して表示する。この貯蓄金額１７は、顧客が捨て難いと思う金額であって、商品の価格、種類や形態さらに販売促進計画その他に応じて任意に設定可能である。
【００２９】
高額クーポン１３の裏面側には、上記クーポンの識別番号１４、発行日１５、発行店舗番号１６および貯蓄金額１７とともに、高額クーポン１３の使用にともなって減算を行った経過演算表示部１８を印字して表示する。
この裏面側におけるクーポンの使用回数ないし商品の取引き件数は、１枚の高額クーポン１３について、たとえば、３０回の取引きまで印字し、それぞれの清算月日１９および残高２０を表示する。
図中、「Ａ」は１０月、「Ｂ」は１１月、「Ｃ」は１２月を示す。具体的には、１０月１日の取引き（購入）により１００００円から７５円が減算されて残高９９２５円となり、４月１５日には残高０円になったことを示している。
この残高０円になった段階で、新たに貯蓄金額１７に１万円をデータとして更新保存するとともに、ロイコカードなどの場合には、経過演算表示部１８も消去して、新たな表示を可能とする。
【００３０】
もちろん高額クーポン１３は、磁気カードあるいはＩＣカードなどの場合には、その記憶部２１に、上記クーポンの識別番号１４、発行日１５、発行店舗番号１６、貯蓄金額１７および経過演算表示部１８（清算月日１９、残高２０）に相当する電子データを保存および更新可能であって、プリンター本体２の制御部７においてこれら電子データの書き込み操作および読み取り操作を行う。
【００３１】
図１（一点鎖線より下方部を参照）に戻って、勘定台２２にクーポン発行装置１を準備しておき、顧客による商品購入のたびに、プリンター本体２のクーポン発行読取り口８に高額クーポン１３を挿入して、購入金額を入力すれば、必要な減算（たとえば価格の５％引き）および印字表示およびデータ更新を行った上で、高額クーポン１３を排出する。また、残高が０円となった場合には、新たに貯蓄金額１７を最新データとして高額クーポン１３に記憶させることになる。なお、勘定台２２に当該プリンター本体２の機能を組み込むように構成することもできる。
【００３２】
こうした構成のクーポン発行装置１において、高額クーポン１３の発行とともに、所定の貯蓄金額１７が蓄えられた状態で顧客に高額クーポン１３が提供される。
商品の購入のたびに、その割引率ないし割り引き金額が貯蓄金額１７から減算され、残高がなくなれば、再び貯蓄金額１７が蓄えられることになる。
【００３３】
したがって、顧客としては、高額クーポン１３を入手した時点から直ちにつぎの商品購入の際に割引を受けることができ、便利であるとともに、従来のようにクーポンを所定レベルないし枚数まで貯める必要がない。すなわち、顧客は、この高額クーポン１３を少なくとも使い切るまでは、固定客となる可能性が高く、また、貯蓄金額１７を更新すれば事実上永く使用することができる。
また、販売側としても何度もクーポンを発行する必要がなく、低コストでの運用が可能である。
【００３４】
かくして、当該高額クーポン１３を採用することによって商品の販売側および購入側ともに有益であり、省資源にも寄与することができる。
【図面の簡単な説明】
【００３５】
【図１】本発明の実施例によるクーポン発行装置１の全体概略説明図である。
【図２】同、高額クーポン１３の表面側の説明図である。
【図３】同、高額クーポン１３の裏面側の説明図である。
【符号の説明】
【００３６】
１  クーポン発行装置（実施例、クーポン発行および読取り用のカードプリンター、図１）
２  プリンター本体
３  バーコードリーダー
４  テンキー部
５  ディスプレイ部
６  プリンター部
７  制御部
８  クーポン発行読取り口
９  チラシ
１０  バーコードラベル
１１  バーコード
１２  統計帳票
１３  高額クーポン（実施例、クーポン、図２、図３）
１４  クーポンの識別番号
１５  発行日
１６  発行店舗番号
１７  貯蓄金額
１８  経過演算表示部
１９  清算月日
２０  残高
２１  高額クーポン１３の記憶部
２２  勘定台
【図１】
2007065895.tif 000003
【図２】
2007065895.tif 000004
【図３】
2007065895.tif 000005